(57)【特許請求の範囲】
【請求項１】
用紙を、該用紙の搬送方向下流側に向けて送り出す第１ロールと、
前記第１ロールよりも前記搬送方向下流側に配備され、搬送されてきた用紙を、送出しタイミングを調整してさらに下流側に向けて送り出す第２ロールと、
用紙が搬送される用紙搬送経路のうちの前記第１ロールと前記第２ロールとの間に形成された、弧状に曲がった区間経路に面した、該弧状の内側の位置に配備され、前記第１ロールにより送り出されて該区間経路上を搬送される用紙を案内する第１案内面を有する案内部材とを備え、
前記案内部材が、前記第１案内面に、前記第１ロールと前記第２ロールとで用紙に張力が加えられたときの該用紙の姿勢を定める位置まで前記区間経路に向かって突出している突起部を有することを特徴とする用紙搬送装置。
【請求項２】
当該用紙搬送装置が、搬送方向に交わる幅方向の寸法が異なる複数種類の用紙の搬送を担い、該複数種類の用紙のいずれについても該用紙の該幅方向中心部を互いに揃えて搬送する用紙搬送装置であって、
前記突起部が、前記案内部材の、前記幅方向中央部に設けられていることを特徴とする請求項１記載の用紙搬送装置。
【請求項３】
前記突起部が、前記搬送方向にそれぞれが延び、該搬送方向に交わる幅方向に複数配列された板状の突起であることを特徴とする請求項１又は２記載の用紙搬送装置。
【請求項４】
前記突起部は、搬送されてきた用紙を該突起部の頂部に向かって案内する斜面を有することを特徴とする請求項１から３のうちいずれか１項記載の用紙搬送装置。
【請求項５】
前記案内部材が、前記第１案内面に加え、さらに、
前記第１ロールを経由せずに送られてきた用紙を前記区間経路に途中から合流させて前記第２ロールに向かわせる第２案内面と、
前記第１案内面および前記第２案内面にそれぞれ案内されてきた用紙を第１面および第２面それぞれで前記第２ロールに向けて案内する案内シートとを有することを特徴とする請求項１から４のうちいずれか１項記載の用紙搬送装置。
【請求項６】
前記案内シートは、前記第１案内面の、前記搬送方向に交わる幅方向について前記突起部を避けた位置に固定されていることを特徴とする請求項５記載の用紙搬送装置。
【請求項７】
前記案内部材は、前記第１案内面のうちの前記突起部を除く部分と前記第２案内面とを形成する第１部材に、前記突起部を形成する第２部材が固着されたものであることを特徴とする請求項５又は６記載の用紙搬送装置。
【請求項８】
用紙上に画像を形成する画像形成部と、
前記画像形成部に向けて用紙を搬送する用紙搬送部とを有し、
前記用紙搬送部が、
用紙を、該用紙の搬送方向下流側に向けて送り出す第１ロールと、
前記第１ロールよりも前記搬送方向下流側に配備され、搬送されてきた用紙を、送出しタイミングを調整して前記画像形成部に向けて送り出す第２ロールと、
用紙が搬送される用紙搬送経路のうちの前記第１ロールと前記第２ロールとの間に形成された、弧状に曲がった区間経路に面した、該弧状の内側の位置に配備され、前記第１ロールにより送り出されて該区間経路上を搬送される用紙を案内する第１案内面を有する案内部材とを備え、
前記案内部材が、前記第１案内面に、前記第１ロールと前記第２ロールとで用紙に張力が加えられたときの該用紙の姿勢を定める位置まで前記区間経路に向かって突出している突起部を有することを特徴とする画像形成装置。
【請求項９】
前記用紙搬送部が、搬送方向に交わる幅方向の寸法が異なる複数種類の用紙の搬送を担い、該複数種類の用紙のいずれについても該用紙の該幅方向中心部を互いに揃えて搬送する用紙搬送部であって、
前記突起部が、前記案内部材の、前記幅方向中央部に設けられていることを特徴とする請求項８記載の画像形成装置。
【請求項１０】
前記突起部が、前記搬送方向にそれぞれが延び、該搬送方向に交わる幅方向に複数配列された板状の突起であることを特徴とする請求項８又は９記載の画像形成装置。
【請求項１１】
前記突起部は、搬送されてきた用紙を該突起部の頂部に向かって案内する斜面を有することを特徴とする請求項８から１０のうちいずれか１項記載の画像形成装置。
【請求項１２】
前記案内部材が、前記第１案内面に加え、さらに、
前記第１ロールを経由せずに送られてきた用紙を前記区間経路に途中から合流させて前記第２ロールに向かわせる第２案内面と、
前記第１案内面および前記第２案内面にそれぞれ案内されてきた用紙を第１面および第２面それぞれで前記第２ロールに向けて案内する案内シートとを有することを特徴とする請求項８から１１のうちいずれか１項記載の画像形成装置。
【請求項１３】
前記案内シートは、前記第１案内面の、前記搬送方向に交わる幅方向について前記突起部を避けた位置に固定されていることを特徴とする請求項１２記載の画像形成装置。
【請求項１４】
前記案内部材は、前記第１案内面のうちの前記突起部を除く部分と前記第２案内面とを形成する第１部材に、前記突起部を形成する第２部材が固着されたものであることを特徴とする請求項１２又は１３記載の画像形成装置。
【発明の詳細な説明】
【技術分野】
【０００１】
本発明は、用紙搬送装置および画像形成装置に関する。
【背景技術】
【０００２】
画像形成装置には、用紙搬送装置が組み込まれていて、その用紙搬送装置により搬送されてきた用紙上に画像を形成するタイプの画像形成装置が存在する。そのタイプの画像形成装置に組み込まれている用紙搬送装置には、用紙の搬送に伴って発生する音を抑制することが求められる。
【０００３】
ここで、特許文献１には、一対の補助ロールと一対の補正ロールとの間にシートをガイドしつつシートループの背面側からシート幅方向の中央部に最も高い押圧力を加えるガイド手段を設けることが開示されている。
【先行技術文献】
【特許文献】
【０００４】
【特許文献１】特開２００７−１３１４０３号公報
【発明の概要】
【発明が解決しようとする課題】
【０００５】
本発明は、用紙の搬送に伴う音が、本発明の構成を有しない場合と比較して低減された用紙搬送装置および画像形成装置を提供することを目的とする。
【課題を解決するための手段】
【０００６】
請求項１は、
用紙を、該用紙の搬送方向下流側に向けて送り出す第１ロールと、第１ロールよりも搬送方向下流側に配備され、搬送されてきた用紙を、送出しタイミングを調整してさらに下流側に向けて送り出す第２ロールと、用紙が搬送される用紙搬送経路のうちの第１ロールと第２ロールとの間に形成された区間経路に面した位置に配備され第１ロールにより送り出されてその区間経路上を搬送される用紙を案内する第１案内面を有する案内部材とを備え、
その案内部材が、第１案内面に、区間経路に向かって突出し第１ロールと第２ロールとで用紙に張力が加えられたときの用紙の姿勢を定める突起部を有することを特徴とする用紙搬送装置である。
【０００７】
請求項２は、請求項１記載の用紙搬送装置において、この用紙搬送装置が、搬送方向に交わる幅方向の寸法が異なる複数種類の用紙の搬送を担い、それら複数種類の用紙のいずれについても用紙の幅方向中心部を互いに揃えて搬送する用紙搬送装置であって、上記突起部が、上記案内部材の、幅方向中央部に設けられていることを特徴とする用紙搬送装置である。
【０００８】
請求項３は、請求項１又は２記載の用紙搬送装置において、上記突起部が、搬送方向にそれぞれ延び、搬送方向に交わる幅方向に複数配列された板状の突起であることを特徴とする用紙搬送装置である。
【０００９】
請求項４は、請求項１から３のうちいずれか１項記載の用紙搬送装置において、上記突起部が、搬送されてきた用紙をその突起部の頂部に向かって案内する斜面を有することを特徴とする用紙搬送装置である。
【００１０】
請求項５は、請求項１から４のうちいずれか１項記載の用紙搬送装置において、上記案内部材が、前記第１案内面に加え、さらに、第１ロールを経由せずに送られてきた用紙を上記区間経路に途中から合流させて第２ロールに向かわせる第２案内面と、第１案内面および第２案内面にそれぞれ案内されてきた用紙を第１面および第２面それぞれで第２ロールに向けて案内する案内シートとを有することを特徴とする用紙搬送装置である。
【００１１】
請求項６は、請求項５記載の用紙搬送装置において、上記案内シートは、上記第１案内面の、搬送方向に交わる幅方向について上記突起部を避けた位置に固定されていることを特徴とする用紙搬送装置である。
【００１２】
請求項７は、請求項５又は６記載の用紙搬送装置において、上記案内部材は、上記第１案内面のうちの突起部を除く部分と第２案内面とを形成する第１部材に、上記突起部を形成する第２部材が固着されたものであることを特徴とする用紙搬送装置である。
【００１３】
請求項８は、用紙上に画像を形成する画像形成部と、その画像形成部に向けて用紙を搬送する用紙搬送部とを有し、その用紙搬送部が、
用紙を、用紙の搬送方向下流側に向けて送り出す第１ロールと、第１ロールよりも搬送方向下流側に配備され、搬送されてきた用紙を、送出しタイミングを調整して画像形成部に向けて送り出す第２ロールと、用紙が搬送される用紙搬送経路のうちの第１ロールと第２ロールとの間に形成された区間経路に面した位置に配備され第１ロールにより送り出されてその区間経路上を搬送される用紙を案内する第１案内面を有する案内部材とを備え、
その案内部材が、第１案内面に、区間経路に向かって突出し第１ロールと第２ロールとで用紙に張力が加えられたときの用紙の姿勢を定める突起部を有することを特徴とする画像形成装置である。
【００１４】
請求項９は、請求項８記載の画像形成装置において、この用紙搬送装置が、搬送方向に交わる幅方向の寸法が異なる複数種類の用紙の搬送を担い、それら複数種類の用紙のいずれについても用紙の幅方向中心部を互いに揃えて搬送する用紙搬送装置であって、上記突起部が、上記案内部材の、幅方向中央部に設けられていることを特徴とする画像形成装置である。
【００１５】
請求項１０は、請求項８又は９記載の画像形成装置において、上記突起部が、搬送方向にそれぞれが延び、搬送方向に交わる幅方向に複数配列された板状の突起であることを特徴とする画像形成装置である。
【００１６】
請求項１１は、請求項８から１０のうちいずれか１項記載の画像形成装置において、上記突起部が、搬送されてきた用紙をその突起部の頂部に向かって案内する斜面を有することを特徴とする画像形成装置である。
【００１７】
請求項１２は請求項８から１１のうちいずれか１項記載の画像形成装置において、上記案内部材が、前記第１案内面に加え、さらに、第１ロールを経由せずに送られてきた用紙を上記区間経路に途中から合流させて第２ロールに向かわせる第２案内面と、第１案内面および第２案内面にそれぞれ案内されてきた用紙を第１面および第２面それぞれで第２ロールに向けて案内する案内シートとを有することを特徴とする画像形成装置である。
【００１８】
請求項１３は、請求項１２記載の画像形成装置において、上記案内シートは、上記第１案内面の、搬送方向に交わる幅方向について上記突起部を避けた位置に固定されていることを特徴とする画像形成装置である。
【００１９】
請求項１４は、請求項１２又は１３記載の画像形成装置において、上記案内部材は、上記第１案内面のうちの突起部を除く部分と第２案内面とを形成する第１部材に、上記突起部を形成する第２部材が固着されたものであることを特徴とする画像形成装置である。
【発明の効果】
【００２０】
請求項１の用紙搬送装置および請求項８の画像形成装置によれば、本構成を用いない場合と比べ、用紙の搬送に伴う音が低減される。
【００２１】
請求項２の用紙搬送装置および請求項９の画像形成装置によれば、用紙幅が異なる用紙のいずれについても用紙の搬送に伴う音が低減される。
【００２２】
請求項３の用紙搬送装置および請求項１０の画像形成装置によれば、本構成の突起を用いない場合と比べ、用紙が低摩擦で円滑に搬送される。
【００２３】
請求項４の用紙搬送装置および請求項１１の画像形成装置によれば、上記斜面を有しない突起部と比較し、用紙が円滑に案内される。
【００２４】
請求項５の用紙搬送装置および請求項１２の画像形成装置によれば、異なる経路を経由して搬送されてきた用紙の搬送経路が、１つの案内部材で合流される。
【００２５】
請求項６の用紙搬送装置および請求項１３の画像形成装置によれば、第１案内面に突起部と案内シートの固定部とが共存する。
【００２６】
請求項７の用紙搬送装置および請求項１４の画像形成装置によれば、第１部材を突起部が不要な案内部材としても利用される。
【図面の簡単な説明】
【００２７】
【図１】本発明の一実施形態としての複写機の概略構成図である。
【図２】図１に示す用紙搬送経路のうちの、搬送ロールと待機ロールとの間の区間経路を示した拡大図である。
【図３】図２に示す区間経路を図２に示す矢印Ｘ−Ｘ方向に見たときの斜視図である。
【図４】案内部材の斜視図である。
【図５】図４に示す案内部材から案内シートを取り外した案内部材本体を示した斜視図である。
【図６】突起部の１つを示した拡大図である。
【図７】第１変形例の案内部材を示した斜視図である。
【図８】第２変形例の案内部材を突起部の部分で断面して横から見て示した模式図である。
【図９】第３変形例の案内部材を突起部の部分で断面して横から見て示した模式図である。
【発明を実施するための形態】
【００２８】
以下、本発明の実施形態を説明する。
【００２９】
図１は、本発明の一実施形態としての複写機の概略構成図である。この図１に示す複写機には、本発明の一実施形態としての画像形成装置、および本発明の一実施形態としての用紙搬送装置が組み込まれている。
【００３０】
この複写機１は、原稿読取装置１０と画像形成装置２０とを有する。原稿読取装置１０は、フレーム３０により、画像形成装置２０の上に、画像形成装置２０との間に間隔を空けた状態に設置されている。
【００３１】
原稿読取装置１０には、原稿Ｓが重ねられた状態に置かれる原稿給紙台１１が備えられている。この原稿給紙台１１上に置かれた原稿Ｓは１枚ずつ送り出され搬送ロール１２によって搬送経路１３上を搬送され、透明ガラス製の原稿読取板１４の下に置かれた原稿読取光学系１５により、その搬送されてきた原稿に記録されている文字や画像が読み取られて原稿排紙台１１上に排出される。
【００３２】
また、この原稿読取装置１０は、その奥側に左右に延びるヒンジを有し、そのヒンジを回転中心として、原稿給紙台および原稿排紙台１６を一体的に持ち上げることができる。その持ち上げた下には、原稿読取板１４が広がっている。
【００３３】
この原稿読取装置１０では、原稿給紙台１１上に原稿を置くことに代えて、原稿読取板１４上に原稿を１枚だけ下向きに置き、原稿読取光学系１５が矢印Ａ方向に移動してその稿読取板１４上の原稿から文字や画像を読み取ることもできる。
【００３４】
原稿読取光学系で得られた画像信号は、画像形成装置２０に入力される。画像形成装置２０は、以下のようにして、入力されてきた画像信号に基づく画像を形成する。
【００３５】
画像形成装置２０の下部には、４台の給紙台３１＿１，３１＿２，３１＿３，３１＿４が収容されている。これらの給紙台３１＿１〜３１＿４には、各給紙台３１＿１〜３１＿４ごとに例えば寸法の異なる用紙Ｐが積み重なった状態に収容されている。各給紙台３１＿１〜３１＿４は、用紙Ｐの補給のために、引出し自在に構成されている。
【００３６】
それら４台の給紙台３１＿１〜３１＿４のうちの、例えば原稿の寸法に適合した寸法の用紙Ｐが収容されている給紙台（ここでは一例として一番下の給紙台３１＿４とする）から用紙Ｐがピックアップロール３２＿４により送り出され、さばきロール３３＿４により１枚ずつに分離され、その分離された１枚の用紙Ｐが搬送ロール３４＿３により矢印Ｂの向きに上方に搬送され、さらに、案内部材３５＿３の第１案内面３５＿３ａにより案内され、次の搬送ロール３４＿２によりさらに搬送され、次の案内部材３５＿２の第１案内面３５＿２ａにより案内され、次の搬送ロール３４＿１によりさらに搬送され、案内部材３５＿１の第１案内面３５＿１ａにより案内されてその用紙Ｐの先端が待機ロール３６に至る。この待機ロール３６は、それ以降の搬送のタイミングを調整して用紙を送り出す役割りを担っており、この待機ロール３６に到達した用紙は、その待機ロール３６によりそれ以降の搬送のタイミングが調整されてさらに搬送される。この待機ロール３６以降の搬送については後述する。
【００３７】
下から２番目の給紙台３１＿３から用紙Ｐが送り出されるときは、その給紙台３１＿３に収容されている用紙Ｐがピックアップロール３２＿３により送り出され、さばきロール３３＿３により１枚ずつに分離され、その分離された１枚の用紙Ｐが案内部材３５＿３の第２案内面３５＿３ｂにより案内されて進み、搬送ロール３４＿２により搬送され、案内部材３５＿２の第１案内面３５＿２ａにより案内され、次の搬送ロール３４＿１により搬送され、案内部材３５＿１の第１案内面３５＿１ａにより案内され、待機ロール３６に到達する。
【００３８】
これと同様に、下から３番目の給紙台３１＿２からは、その給紙台３１＿２に収容されている用紙Ｐがピックアップロール３２＿２により送り出され、さばきロール３３＿２により１枚ずつに分離され、その分離された１枚の用紙Ｐが案内部材３５＿２の第２案内面３５＿２ｂにより案内されて進み搬送ロール３４＿１により搬送され、案内部材３５＿１の第１案内面３５＿１ａにより案内されて待機ロール３６に到達する。
【００３９】
一番上の給紙台３１＿１からは、その給紙台３１＿１に収容されている用紙Ｐがピックアップロール３２＿１により送り出され、さばきロール３３＿１により１枚ずつに分離され、その分離された１枚の用紙Ｐが案内部材３５＿１の第２案内面３５＿１ｂにより案内されて進み、待機ロール３６に到達する。
【００４０】
ここで、これまで説明した３組の搬送ロール３４＿１，３４＿２，３４＿３のうちの一番上の搬送ロール３４＿１と待機ロール３６との間の用紙搬送経路は、弧状に曲がった用紙搬送経路を有し、案内部材３５＿１は、その弧状の内側に配備されている。
【００４１】
ここで、本実施形態では、一番上の搬送ロール３４＿１が本発明にいう第１ロールの一例であり、待機ロールが本発明にいう第２ロールの一例であり、案内部材３５＿１が本発明にいう案内部材の一例である。この部分の詳細構造の説明は後に譲る。
【００４２】
この画像形成装置２０には、手差し給紙台３７が備えられている。この手差し給紙台３７の上に用紙を置き、その手差し給紙台３７に置かれた用紙を矢印Ｃに従って送り込むことも可能である。
【００４３】
また、この画像形成装置２０には、待機ロール３６の上方に矢印Ｄで示す向きに回転する感光体２１を有し、この感光体２１の周囲に、帯電器２２、露光器２３、現像器２４、転写器２５およびクリーナ２６が配備されている。
【００４４】
感光体２１は円筒形状を有し、帯電により電荷を保持し露光によりその電荷を放出してその表面に静電潜像が形成される。
【００４５】
帯電器２２は、感光体２１の表面をある帯電電位に帯電する。
【００４６】
また、露光器２３には、前述のようにして原稿読取装置１０で得られた画像信号が入力され、露光器２３からはその画像信号に応じて変調された露光光２３１が出力される。感光体２１は、この露光光２３１による露光を受け、感光体２１の表面に静電潜像が形成される。
【００４７】
さらに感光体２１は、露光光２３１により露光されて表面に静電潜像が形成された後、現像器２４により現像され、その感光体２１の表面にトナー像が形成される。この感光体２１の表面に形成されたトナー像は、転写器２６の作用を受け、感光体２１上のトナー像が転写器２６に対面した位置に達するタイミングに合わせてその位置に到達するように待機ロール３６により送り出されてきた用紙上に転写される。
【００４８】
トナー像の転写を受けた用紙は、さらに矢印Ｅ方向に進み、定着器２７による加熱および加圧を受けてその用紙上に定着トナー像からなる画像が形成される。この定着器２７を通過した用紙は排紙ロール２８によりさらに矢印Ｆ方向に送られて排紙台２９上に排出される。
【００４９】
また、トナー像の転写後に感光体２１上に残存するトナーは、クリーナ２６により、感光体２１から取り除かれる。
【００５０】
この画像形成装置２０は、用紙Ｐの両面に画像を形成することが可能な装置となっている。用紙Ｐの両面に画像を形成する場合、上記のようにして用紙Ｐの第１面にのみ画像が形成された用紙Ｐは、排紙ロール２８により、矢印Ｆ方向に、その用紙の後端が排紙ロール２８に挟まれた状態にまで排紙台２９上に送り出される。その後、排紙ロール２８の回転方向が反転し、用紙Ｐが矢印Ｇ方向に引き込まれる。この引き込まれた用紙は、今度は矢印Ｈ方向に進み、搬送ロール３８によりさらに矢印Ｉ，Ｊの向きに搬送されて再度待機ロール３６に到達する。その後は第１面への画像形成と同様にして用紙Ｐの第２面に画像が形成される。このようにして両面に画像が形成された用紙Ｐは、今度は排紙台２９上に排出される。
【００５１】
図２は、図１に示す用紙搬送経路のうちの、搬送ロール３４＿１と待機ロール３６との間の区間経路を示した拡大図である。ここでは、搬送ロール３４＿１と待機ロール３６との間の用紙搬送経路を、用紙搬送経路全域と区別するために、「区間経路」と称する。この区間経路５０は、この図２に示すように、弧状に曲がっており、案内部材３５＿１はこの区間経路５０のほぼ中央であって、この区間経路５０に面した、弧状の内側に配置されている。この案内部材３５＿１は、区間経路５０に面し、搬送ロール３４＿１により送り出されてきた用紙を案内する第１案内面３５＿１ａと、一番上の給紙台３１＿１から送り出されてきた用紙を案内して区間経路５０に途中から合流させて待機ロール３６に向かわせる第２案内面３５＿１ｂとを有する。また、この案内部材３５＿１は、さらに、待機ロール３６側に向かって広がる案内シート３５＿１ｃを有する。この案内シート３５＿１ｃは、例えばＰＥＴシート等からなる可撓性のシートであり、第１案内面３５＿１ａおよび第２案内面３５＿１ｂにそれぞれ案内されてきた用紙を、その案内部材３５＿１の、第１案内面３５＿１ａ側の第１面および第２案内面３５＿１ｂ側の第２面それぞれで待機ロール３６に向けて案内する。ここで、案内シート３５＿１ｃを用いる理由は、狭い隙間であってもそこに入り込んで用紙を案内することが可能であること、および第２案内面３５＿１ｂに案内されてきた用紙が紙詰まりを生じたときに、その案内シート３５＿１ｃの可撓性を利用してその紙詰まりを生じた用紙を取り除き易くするためである。
【００５２】
ここで、この案内部材３５＿１の第１案内面３５＿１ａには、その上端に近い部分に、区間経路５０に向かって突出した突起部３５＿１ｄが形成されている。
【００５３】
搬送ロール３４＿１により搬送されてきた用紙は、その用紙の先端が待機ロール３６に達した後搬送ロール３４＿１によりさらに押され、この区間経路５０でわん曲した状態で停止する。用紙をわん曲させた状態で停止させるのは、用紙を待機ロール３６に押し当てることによって用紙の姿勢を正すためである。その後、この用紙は、前述したように、待機ロール３６によりタイミングが調整されて待機ロール３６からさらに下流側に向けて送り出される。
【００５４】
この送り出される際に第１案内面３５＿１ａに設けられた突起部３５＿１ｄが作用し、この突起部３５＿１ｄが無い場合にその送り出しの時点で発生する音が抑えられる。
【００５５】
用紙がこの区間経路５０で停止して待機ロール３６による送り出しを待っている待機状態では、上述の通りわん曲した状態にある。その後待機ロール３６が回転を開始して用紙の先端部が待機ロール３６により送り出されると、搬送ロール３４＿１と待機ロール３６とにより、この用紙の区間経路５０内の部分に張力が加わり、その区間経路５０内で最短距離となるように、用紙が突起部３５＿１ｄに押し当てられる。すなわち、この突起部３５＿１ｄは、区間経路５０に向かって、搬送ロール３４＿１と待機ロール３６とで用紙に張力が加えられたときの用紙の姿勢を定める位置まで突出している。待機ロール３６による用紙の搬送が開始されると、用紙が突起部３５＿１ｄに当たり、その用紙の、突起部３５＿１ｄに当たった部分で振動が抑えられ、さらに残りの振動エネルギーはその突起部３５＿１ｄよりも搬送ロール３４＿１側とその突起部３５＿１ｄよりも待機ロール３６側とに分散される。その結果、耳障りな音が抑えられるものと考えられる。
【００５６】
このように、ここで説明している複写機１（図１参照）の場合、案内部材３５＿１に設けられた突起部３５＿１ｄにより、用紙の搬送に伴う音の発生が抑えられている。
【００５７】
図３は、図２に示す区間経路を図２に示す矢印Ｘ−Ｘ方向に見たときの斜視図である。
【００５８】
この図３には、案内部材３５＿１と、その案内部材３５＿１の下部に設けられた板金部材５１と、案内部材３５＿１よりも上方に設けられた待機ロール３６が示されている。この図４に示す待機ロール３６は、図３に示す一対の待機ロール３６のうちの一方のロールである。
【００５９】
この図３には、案内部材３５＿１の第１案内面３５＿１ａと、その第１案内面３５＿１ａに設けられた突起部３５＿１ｄと、案内シート３５＿１ｃとが示されている。
【００６０】
図４は、案内部材の斜視図、図５は、図４に示す案内部材から案内シートを取り外した案内部材本体を示した斜視図である。
【００６１】
これら図３〜図５に示すように、案内部材３５＿１の第１案内面３５＿１ａには幅方向（図４に示す矢印Ｙ−Ｙ方向）に並ぶ複数の突起部３５＿１ｄが設けられている。
【００６２】
図６は、突起部の１つを示した拡大図である。
【００６３】
この突起部３５＿１ｄは、用紙搬送方向に延びた板状の突起部であり、搬送されてきた用紙をその突起部の頂部３５＿１ｅに向かって案内する斜面３５＿１ｆを有する。
【００６４】
この斜面３５＿１ｆの存在により、搬送されてきた用紙は突起部３５＿１ｄに円滑に乗り上げ、この点でも用紙搬送に伴う音の発生が抑えられている。また、本実施形態では、板状の複数の突起部幅方向に配列された構造を採用しているため、用紙と突起部との間の、用紙搬送に伴う摩擦が抑えられ、この点でも円滑な用紙搬送が行なわれ、用紙搬送に伴う音の発生が抑えられる。
【００６５】
ここで、図３〜図５に示すように、これらの突起部３５＿１ｄは、全体として幅方向中央部に設けられている。この画像形成装置２０（図１参照)は、給紙台３１＿１〜３１＿４に幅方向の寸法がそれぞれ異なる複数種類の用紙を収容させたとき、それら複数種類の寸法の異なる用紙のいずれについても用紙の幅方向中心部を互いに揃えて搬送する構成となっている。
【００６６】
したがって、突起部３５＿１ｄは、幅の広い用紙、幅の狭い用紙のいずれについても作用する。すなわち幅寸法の異なるいずれの用紙であっても用紙搬送に伴う音の発生が抑えられる。
【００６７】
また、案内シート３５＿１ｃは、その下端側の１辺、すなわち搬送ロール３４＿１（図１，図２参照）寄りの１辺が、突起部３５＿１ｄが設けられた面と同じ第１案内面３５＿１ａの、幅方向(図４の矢印Ｙ−Ｙ方向）について突起部３５＿１ｄを避けた位置に、貼り付けられている。ここに示す実施形態の場合、突起部３５＿１ｄは、全体として幅方向中央部に設けられているため、その両側が案内シート３５＿１ｃを貼り付けるための糊代として用いられている。
【００６８】
図１には３つの案内部材３５＿１，３５＿２，３５＿３が示されており、ここではそれら３つの案内部材３５＿１〜３５＿３のうちの一番上の案内部材３５＿１について説明したが、他の２つの案内部材３５＿２，３５＿３は、一番上の案内部材３５＿１と比べ、突起部３５＿１ｄと案内シート３５＿１ｃが存在しないこと、および第１案内面３５＿２ａ，３５＿３ｂが少し広いことを除き、一番上の案内部材３５＿１とほぼ同様の形状を有する。
【００６９】
以上で、本実施形態の説明を終了し、次にいくつかの変形例を説明する。
【００７０】
図７は、第１変形例の案内部材を示した斜視図である。
【００７１】
ここでは、分かり易さのため、形状の相違があっても、上述の実施形態で付した符号と同一の符号を付して示している。
【００７２】
この図７には、図１に示す３つの案内部材３５＿１，３５＿２，３５＿３のうちの、上側２つの案内部材３５＿１，３５＿２が示されている。
【００７３】
これら２つの案内部材３５＿１，３５＿２のうちの上側の案内部材３５＿１には、突起部３５＿１ｄと案内シート３５＿１ｃが設けられている。
【００７４】
この図７に示す変形例における突起部３５＿１ｄは、上述の実施形態における板状の突起部（図３〜図６参照）とは異なり、幅方向に長く延びた突起部である。この突起部３５＿１ｄは、幅方向中央部と両端部を除く位置に形成されており、それら中央部および両端部は案内シート３５＿１ｃを貼り付けるための糊代として利用されている。
【００７５】
この図７に示すように、突起部３５＿１ｄは、必ずしも板状のものである必要はなく、幅方向に長く延びていてもよい。またこの突起部３５＿１ｄは中央部のみでなく両端部にまで延びていてもよい。
【００７６】
この図７に示す下側の案内部材３５＿２は、突起部と案内シートが存在しないこと、および第１案内面３５＿２ａが少し広いことを除き、上側の案内部材３５＿１とほぼ同様の形状を有する。図１に示す３つの案内部材３５＿１，３５＿２，３５＿３のうちの最も下にある案内部材３５＿３も、その直ぐ上の案内部材３５＿２と同じ形状を有している。
【００７７】
図８は、第２変形例の案内部材を突起部の部分で断面して横から見て示した模式図である。
【００７８】
この図８においても、形状の相違にかかわらず、上述の実施形態で付した符号と同一の符号を付して示している。
【００７９】
この図８に示す第２変形例の案内部材３５＿１は、第１案内面３５＿１ａのうちの突起部３５＿１ｄを除く部分と第２案内面３５＿１ｂとを形成する第１部材３５＿１ｇに、第１部材３５＿１ｇとは別部材の、突起部３５＿１ｄを形成する第２部材３５＿１ｈが接着により固着されている。
【００８０】
このように、突起部３５＿１ｄを別部材としての第２部材３５＿１ｈで構成しておき、その第２部材３５＿１ｈを第１部材３５＿１ｇに固着する構成とすると、突起部３５＿１ｄおよび案内シート３５＿１ｃを必要とする案内部材３５＿１（図１参照）と、それら突起部３５＿１ｄおよび案内シート３５＿１ｃが不要の案内部材３５＿２，３５＿３について同じ第１部材３５＿１ｇを使うことができる。
【００８１】
図９は、第３変形例の案内部材を突起部の部分で断面して横から見て示した模式図である。
【００８２】
この図９の案内部材３５＿１も、第１部材３５＿１ｇと第２部材３５＿１ｈとを有する。第２部材３５＿１ｈは、第１部材３５＿１ｇに、その第１部材３５＿１ｇに貼り付けられた案内シート３５＿１ｃを挟んでその案内シート３５＿１ｃの上から貼り付けられている。
【００８３】
この図９に示す構造の案内部材の場合も、図８の案内部材と同様、突起部３５＿１ｄおよび案内シート３５＿１ｃを必要とする案内部材とそれらが不要な案内部材の双方について同一の第１部材３５＿１ｇを用いることができる。
【００８４】
尚、ここでは、本発明を図１に示す構造の複写機１を構成する画像形成装置１０に適用した例について説明したが、本発明は、図１に示す構造の画像形成装置１０に限られず用紙の搬送を行なうタイプの画像形成装置であれば適用可能である。また、本発明は、画像形成装置にのみ適用されるものではなく、用紙を搬送する装置であれば広く適用可能である。
【符号の説明】
【００８５】
１    複写機
１０    原稿読取装置
２０    画像形成装置
３０    フレーム
３１＿１，３１＿２，３１＿３，３１＿４    給紙台
３２＿１，３２＿２，３２＿３，３２＿４    ピックアップロール
３３＿１，３３＿２    さばきロール
３４＿１，３４＿２，３４＿３    搬送ロール
３５＿１，３５＿２，３５＿３    案内部材
３５＿１ａ，３５＿２ａ，３５＿３ａ    第１案内面
３５＿１ｂ，３５＿２ｂ，３５＿３ｂ    第２案内面
３５＿１ｃ    案内シート
３５＿１ｄ    突起部
３５＿１ｅ    頂部
３５＿１ｆ    斜面
３５＿１ｇ    第１部材
３５＿１ｈ    第２部材
３６    待機ロール
５０    区間経路
【図１】
0005671964.tif 000002
【図２】
0005671964.tif 000003
【図３】
0005671964.tif 000004
【図４】
0005671964.tif 000005
【図５】
0005671964.tif 000006
【図６】
0005671964.tif 000007
【図７】
0005671964.tif 000008
【図８】
0005671964.tif 000009
【図９】
0005671964.tif 000010